(57)【要約】【課題】  設置された情報処理端末装置の左右領域及び背面領域に保守作業用の空間を必要とせず、開閉作業性に優れた情報処理端末装置用の印刷ユニットを提供すること。【解決手段】  前面部に設けられた印刷機構部５０を保持する回動フレーム１２と、回動フレーム１２の回動を規制するロック部１６と、ロックを解除する解除レバー１３とを設けて、前面開放部１１を外側に回動することにより、前面を開放し、印刷機構５０を前面に露出させ、また、前からロール紙６０の交換を行うことができるようにした。ロック部１６は、回動フレーム１２の下端の切込み溝１７に固定ピン１８が係合して回動フレーム１２をロックする機構であり、解除レバー１３を回動させて回動フレーム１２を持上げて固定ピン１８から切込み溝１７を外すことによりロックを解除する。【選択図】  図１
2006007467.tif 000002
【特許請求の範囲】
【請求項１】
設置型の情報端末装置に収納されて、ロール紙に所定の情報を印刷する印刷ユニットであって、
ベースフレームの下方に設けられた軸支部材により回動可能に軸支され、前記印刷ユニットの前部に配置された各構成要素を支持している回動フレームと、
前記回動フレームの回動をロックし、またはロックを解除するロック機構と、
前記ロール紙を保持収納する収納部と、
を備え、
前記回動フレームを外側に回動することにより前面を開放し、該開放空間から前記ロール紙収納部への前記ロール紙の装着を可能としたことを特徴とする印刷ユニット。
【請求項２】
前記ロック機構は、前記回動フレームに軸支された解除レバーを備え、該解除レバーを前記回動フレームの回動方向に所定の角度回動させることにより、ロックを解除することを特徴とする請求項１に記載の印刷ユニット。
【請求項３】
前記ロック機構は、回動フレームの下部に設けられた切込み溝と、前記ベースフレームに固定された固定ピンとを備え、前記切込み溝と前記固定ピンとが係合することにより前記回動フレームをロックし、前記切込み溝が前記固定ピンの外に移動して係合を外すことにより、前記回動フレームのロックを解除することを特徴とする請求項２に記載の印刷ユニット。
【請求項４】
前記回動フレームは、所定の範囲内において上下動可能に前記軸支部材に支持されており、
前記解除レバーは、前記ベースフレームに設けられた固定端部と係合する持上げ支点部を備え、
前記解除レバーを前記所定の角度だけ回動させることにより、前記持上げ支点部を支点として、前記解除レバーを含む前記回動フレーム全体を持ち上げて、前記切込み溝が前記固定ピンの外に移動して係合を外すことにより、前記ロック機構のロックを解除することを特徴とする請求項３に記載の印刷ユニット。
【請求項５】
前記固定端部が、前記軸支部材に設けられた軸受けからなることを特徴とする請求項４に記載の印刷ユニット。
【請求項６】
前記回動フレームは、所定の角度及び所定長さの長孔を有しており、前記軸支部材は、前記長孔を貫通することにより、前記回動フレームを前記ベースフレームに回動可能に支持されていることを特徴とする請求項５に記載の印刷ユニット。
【発明の詳細な説明】
【技術分野】
【０００１】
本発明は、キオスク端末装置、現金自動預貯金機（ATM）などのような設置型の情報処理端末装置に組み込まれる印刷ユニットに関する。
【背景技術】
【０００２】
設置型の情報処理端末装置としては、駅、空港、コンビニエンスストア等に設置されるキオスク端末、ＡＴＭ、駐車場又はガソリンスタンド等において所定の情報を記録用紙に印刷して発行する計数記録端末、観劇等のチケット予約及び発券機等、種々のものが存在する。このような情報処理端末装置は、取引明細、チケット予約情報等のような所定の情報を所定の用紙に印刷して発行するため、ロール状に巻いた印刷用紙（ロール紙）を収納した印刷ユニットを情報処理端末装置内に備えている。
【０００３】
このような設置型の情報処理端末装置は、店舗等の限られた営業スペース内に設置されることが多いため、できるだけ小さな設置面積であることが望まれる。そのため、情報処理端末装置に組み込まれる印刷ユニットも、小型で収納スペースが少ないものが求められる。特に、キオスク端末が設置されるコンビニエンスストア等では、売り場面積を有効活用することが重要であり、売場面積を有効利用するために、キオスク端末は通常壁際または、商品陳列棚の壁面を背にして設置される。また、キオスク端末の背面及び左右の領域も大事な売り場面積の一部であるので、これらの領域をメンテナンス用のデッドスペースとして確保しておくことはできない。このような状況の下で、キオスク端末の左右または背面側から、ロール紙の交換または保守作業を行うには、キオスク端末を通路に移動させるか、左右または背面の商品を移動させなければならない。これでは、ロール紙の交換等の簡単な保守作業が極めて煩雑な作業となる上、店舗運営上も好ましくない。
【０００４】
そこで、印刷装置の構成要素を前面に露出させて、保守作業性の向上させたプリンタユニットが提案されている。このプリンタユニットは、印刷部、ロール紙収納部等のほぼすべての構成要素を載置した可動フレームを、操作面のある前面側に傾倒させることにより印刷ユニットの内部構造のほぼすべてを情報処理端末装置の前面側に露出させて、情報処理端末装置の操作面側（前面側）から印刷ロール紙の交換及び保守作業を行えるようにして、作業性を向上させている。（特許文献１参照）
【特許文献１】特開２００２−１１９１７号公報
【発明の開示】
【発明が解決しようとする課題】
【０００５】
しかし、可動フレームを傾倒させてロール紙収納部を含むすべての構成要素を前面外側に露出させる機構は、可動フレーム上にすべての構成要素を載置するために、可動フレームのサイズ及び重量が大きくなる。そのため、可動フレームを前面に安定して傾倒させるための傾倒機構が強固で複雑になるという問題がある。また、可動フレームのサイズが大きくなると、傾倒動作に必要な空間及び傾倒後の可動フレームを支持するために必要とされる領域も大きくなる。設置場所が限定される情報処理端末装置では、このようなロール紙の交換や保守作業のための領域もできる限り小さくすることが望ましい。
【０００６】
また、印刷ユニットの構成要素のすべてを配置したフレームをスライドして引出し可能な構成とし、保守作業時に情報処理装置の前面に引出すようにすることも考えられる。しかし、スライド引出し可能な構成の場合には、ロール紙の交換のような比較的簡単な作業を行う場合でも、印刷ユニットのフレーム全体を情報端末の筐体から引出す必要があり、広い外部引出し空間を必要とする。さらに、フレームをスライドさせる機構は、印刷ユニット全体を移動させるので、製造コストが大きくなるという問題がある。
【０００７】
加えて、スライド引出し機構及び傾倒機構では、不用意な引出しや傾倒を防止するためにロック機構が設けられ、ロックを外してから、スライド引出し又は傾倒操作を行う。そのため、開閉動作には、ロック解除操作と、傾倒操作をそれぞれ別々に独立して行わなければならず、異なる２種類の操作が必要とされていた。
【０００８】
本発明はかかる従来技術の問題点に鑑みてなされたものであり、ロール紙の交換及び保守作業を前面から行うことができ、かつこれらの作業に必要な内部機構の開閉動作に必要な動作空間を小さくした印刷ユニットを提供することを目的とする。
【０００９】
また、本発明の他の目的は、開閉操作性及び作業性に優れた情報処理端末装置の印刷ユニットを提供することである。
【課題を解決するための手段】
【００１０】
本発明は、ベースフレームの下方に設けられた固定ネジを中心に、印刷ユニットの前面部を外側に回動させることにより、印刷ユニットの前面を開放するように構成して上記課題を達成する。また、解除レバーを前面部の回動方向と同じ方向に回動させて前面部のロックを外す構成としたことにより、ロックの解除操作後そのまま回動フレームを同じ方向に回動させるという一連の連続動作のみで前面部を開放することができるようにして、上記課題を達成する。
【００１１】
本発明の第１の態様にかかる印刷ユニットは、設置型の情報端末装置に収納されて、ロール紙に所定の情報を印刷する印刷ユニットであって、ベースフレームの下方に設けられた第１の固定ネジに回動可能に軸支され、印刷ユニットの前部に配置された各構成要素を支持している回動フレームと、回動フレームの回動をロックし、またはロックを解除するロック機構と、ロール紙を保持収納する収納部と、を備え、回動フレームを外側に回動することにより前面を開放し、該開放空間からロール紙収納部へのロール紙の装着を可能としたことを特徴とする。
【００１２】
この態様によると、情報処理端末装置内に収納された印刷ユニットの前面部を外側に回動することにより前面を解放して、該開放空間を介して印刷ユニットの奥に設けられているロール紙収納部へアクセスすることを可能にして、前面から印刷ロールの交換または補給を行うことを可能としている。ロック機構は、情報処理端末装置の稼動中に前面部が回動されることを防止している。
【００１３】
本発明の他の態様にかかる印刷ユニットは、ロック機構が、回動フレームに軸支された解除レバーを備え、該解除レバーを回動フレームの回動方向に所定の角度回動させることにより、ロックを解除することを特徴とする。
【００１４】
この態様によると、解除レバーを回動フレームに軸支し、解除レバーを回動フレームの回動方向と同じ外側に回動させることにより、ロック機構のロックを解除する。これにより、解除レバーのロック解除動作と回動フレームの回動動作を片手により一連の連続操作として行うことが可能となる。
【００１５】
本発明の他の態様にかかる印刷ユニットは、ロック機構が、回動ユニットの下部に設けられた切込み溝と、ベースフレームに固定された固定ピンとを備え、切込み溝と固定ピンとが係合することにより回動フレームをロックし、切込み溝が固定ピンの外に移動して係合を外すことにより、回動フレームのロックを解除することを特徴とする。
【００１６】
この態様によると、ロック機構が回動フレームの下部に設けられた切込み溝と固定ピンにより構成されている。従って、回動フレームを所定量持上げてロックを解除する機構となっており、ロックの解除動作に一定の負荷がかかる。そのため、一連の動作によりロック解除が可能であるにもかかわらず、ロック解除には所定量以上の一定の負荷が要求されるので、簡単にロックが解除されることがない。
【００１７】
本発明の他の態様にかかる印刷ユニットは、回動フレームが、所定の範囲内において上下動可能に第１の固定ネジに支持されており、解除レバーは、ベースフレームに設けられた固定端部と係合する持上げ支点部を備え、解除レバーを所定の角度だけ回動させることにより、持上げ支点部を支点として、解除レバーを含む回動フレーム全体を持ち上げて、切込み溝を固定ピンの外に移動させて係合を外すことにより、ロック機構のロックを解除することを特徴とする。また、印刷ユニットは弾性部材により、ロック側に付勢されている。この態様によると、解除レバーの回動動作により、解除レバーの一部（持上げ支点部）が支点となり、解除レバー及び回動フレーム全体を持上げて、ロックを解除している。回動フレーム全体の重さ、持上げ支点の摩擦、弾性部材による付勢等が、ロック解除の負荷となり、ロック動作を安定させる。
【００１８】
本発明の他の態様にかかる印刷ユニットは、固定端部が、第1の固定ネジに設けられた第１の軸受けからなることを特徴とする。
【００１９】
この態様によると、回動フレーム全体の持上げ負荷が回動支点にかかるので、回動フレームの回動に伴い持上げ支点部と第１の軸受けの摺動摩擦が、回動フレームに対する適度の回動負荷となり、適度の速度でスムーズかつ安定した回動動作を行うことが可能となる。
【００２０】
本発明の他の態様にかかる印刷ユニットは、回動フレームは、所定の角度及び所定長さの長孔を貫通する第１の固定ネジにより、固定軸に回動可能に支持されていることを特徴とする。
【００２１】
この態様では、解除レバーによる持上げ角度にあわせて、長孔の角度を調整することにより、長孔と第1の固定ネジとの摩擦力により適度の持上げ負荷及びロック解除後の回動フレームの回動負荷を与えることが可能となる。
【発明の効果】
【００２２】
□本発明は、ロール紙収納部を除く前面開放部を外側に回動させることにより、前面開放部を小型軽量化し、簡単な回動機構により前面を開放できるようにするとともに、開放に必要な動作空間（動作領域）を小さくした。本発明によると、ロール紙を前面の操作面側から挿入することによりロール紙の交換が可能であり、前面の開放に必要な領域は前面操作面側のわずかの空間のみで足りる。
【００２３】
また、本発明の他の実施形態に示すように、回動フレームのロックを解除する解除レバーの操作方向（回動方向）と、前面開放部を開放するための回動フレームの回動方向とが同じ方向となるよう構成して、片手による連続した一連の操作によりロックの解除及び開放操作を行うことを可能とした。これにより、ロール紙の交換作業を片手で容易に行うことができるようになった。
【発明を実施するための最良の形態】
【００２４】
図１に本発明の一実施形態にかかる情報処理端末装置用の印刷ユニット１０（以下印刷ユニット１０という）の斜視図を示す。図２は、印刷ユニット１０が情報処理端末装置７０に収納されている状態を示す模式図であり、図３は情報処理端末装置７０内に収納された印刷ユニット１０の前面開放部１１を、約９０度回動させた状態を模式的に示す側面図である。
【００２５】
印刷ユニット１０は、前面部を外側に回動することができる前面開放部１１と、ベースフレーム４０と、ロール紙６０を印刷ユニット１０の内部に保持する収納部４１とを備えている。  前面開放部１１は、図示しない印刷ヘッド等を含む印刷機構部５０と、ベースフレーム４０に設けられた第１の固定ネジ１４に軸支されている回動フレーム１２と、回動フレーム１２の動き（回動動作）をロックするロック機構とを備えている。
【００２６】
印刷機構部５０は回動フレーム１２に支持されており、回動フレームとともに回動する。ロック機構は、切込み溝１７及び固定ピン１８とからなるロック部１６と、ロックを解除する解除レバー１３とを備えている。解除レバー１３は、回動フレーム１２に設けられた第２の固定ネジ１５に軸支されており、外側に回動されることによりロックを解除する。印刷ユニット１０は引張りコイルバネ等の弾性部材１９により、ロック側（反時計回り）に付勢されている。
【００２７】
印刷機構部５０は、図示しない印刷ヘッド及びプラテンを備えており、これらが協働することにより、ロール紙６０から供給された印刷用紙に所定の印刷を行う。印刷された記録紙は、記録紙排出部５１から排出される。印刷の制御及び紙送りの制御は、図示しない印刷制御部及び搬送制御部により行われるが、本発明とは直接の関係を有しないので説明を省略する。
【００２８】
図２に示すように、印刷ユニット１０は、ＡＴＭ、キオスク端末装置等の情報処理端末７０の内部に収納されている（図２では、情報処理端末装置７０の外形を直線で模式的に示している）。そのため、印刷ロール紙６０を交換し又は補給するためには、情報処理端末装置７０のカバーを開けた後、さらに何らかの方法で印刷ユニット１０の内部へアクセスしなければならない。
【００２９】
本発明では情報処理端末装置７０の中段の前面カバー７１を開けて、前面開放部１１を前面外側に回動させることにより印刷ユニット１０の前面部分を開放し、前面開放部側からロール紙６０の交換を行う。前面開放部１１は、外側に約９０度回動可能である。前面開放部１１を前面側に回動すると、印刷機構部５０が外側に露出するとともに、印刷ユニット１０の前面部が大きく開放される。これにより、情報処理端末装置の周辺に置かれている商品等を気にすることなく、保守作業、およびロール紙６０を収納部４１に装着すること等の作業を容易に行うことができる。
【００３０】
図３に、前面開放部１１を約９０度回動させて、前面を開放した状態の情報処理端末装置７０の側面図を模式的に示す。キオスク端末のような情報処理端末装置７０は、壁８１を背にして、床８２の上に設置されることが多い。また、左右にも商品陳列棚等が置かれる。情報処理端末装置７０の前面側（操作面側）は、情報処理端末装置７０の操作のために商品等の物品が置かれていない。そのため本発明では、前面開放部を前面外側に回動させることにより印刷機構部を外側に露出させて、前面側（操作面側）から保守作業、及びロール紙６０の交換のためのアクセスができるようにしている。
【００３１】
破線で示す円６０は、ロール紙６０を交換する際のロール紙６０に投入経路を示している。このように前面を開放することにより、容易にロール紙６０を交換することが可能となる。ロール紙６０の投入経路として必要な空間は、ロール紙６０が通過可能な程度であればよい。従って、投入経路として、印刷ユニット１０で使用されるロール紙の直径を少し上回る程度の空間を確保すればよい。また、この回動により開放される空間領域は、開放していないときには印刷機構５０が収納されている。このように前面部の印刷機構部を９０度回動駆動する構造としたことにより、印刷ユニットの一部を開くための動作空間及び保守作業及びロール紙交換等の作業空間を極めて小さくすることが可能となる。
（回動フレーム、解除レバー及びロック機構の構造）
図４を用いて、本発明の一実施形態にかかる印刷ユニットの回動フレーム１２及び解除レバー１３の取り付け部の構造を説明する。図４（ａ）は、回動フレーム１２及び解除レバー１３の取り付け部の部分分解斜視図であり、（ｂ）は、固定ネジ１４、１５及び軸受け２１、２５の側面図である。回動フレーム１２には長孔２０が設けられており、第１の固定ネジ１４が長孔２０を貫通してベースフレーム４０の固定用穴４２に取り付けられている。第１の固定ネジ１４は、フランジ２２を有する第１の軸受け２１を貫通した後に長孔２０を貫通し、ベースフレーム４０に取り付けられている。従って、第１の固定ネジ１４及び第１の軸受け２１が軸支部材を構成し、回動フレーム１２は第１の固定ネジ１４を中心に回動可能である。また、第１の固定ネジ１４は長孔２０を貫通しているので、第１の固定ネジ１４は長孔２０内を摺動可能である。従って、回動フレーム１２は長孔２０の範囲内において、長孔２０に沿って斜め上下方向に移動可能である。
【００３２】
回動フレーム１２の下端部には切込み溝１７が設けられており、該切込み溝１７内に固定ピン１８が入り込んでいる。従って、この状態で回動フレーム１２が回動しようとしても、固定ピン１８に阻止されて、回動することができない。すなわち、切込み溝１７及び固定ピンは回動を阻止するロック部１６として機能する。
【００３３】
解除レバー１３は、第２の固定ネジ１５により回動フレーム１２に回動可能に取り付けられている。第２の固定ネジ１５が第２の軸受け２５を介して回動孔２４を貫通し、回動フレーム１２の穴２３に取り付けられている。これにより解除レバー１３は、第２の固定ネジ１５を中心にして回動可能である。解除レバー１３の下端部には、持上げ支点部２６が設けられている。持上げ支点部２６は、解除レバー１３が反時計方向に回動するときに、第１の固定ネジ１４に設けられた第１の軸受け２１のフランジ２２の外周と当接しつつフランジの外周上を摺動し、解除レバー１３及び回動フレーム１２全体を長孔２０に沿って持上げる。
【００３４】
（ロック解除動作）
図５は図４に示す回動フレーム１２及び解除レバー１３のロック状態（収納状態）を示す部分側面図であり、図６は、図５の位置から解除レバー１３を所定の角度だけ回動させてロックを解除した状態を示す部分側面図である。図６では、ロックが解除された時の解除レバー１３及び回動フレーム１２の位置を実線で示し、ロック解除前の位置を破線で示している。ロック解除操作は、図２に示す印刷ユニット１０の収納部の上部の隙間７２から手を挿入して、解除レバー１３の把持部２７を手前に引き寄せることにより行う。解除レバー１３を図６の実線の位置まで回動させることにより、回動フレーム１２は切込み溝１７が固定ピン１８の外に出るまで持上げられ、ロックは解除される。すなわち、ロック部１６と解除レバー１３と協働して、ロック機構を構成している。
【００３５】
図５及び図６を参照してさらに説明する。解除レバー１３は、第２の固定ネジ１５により回動フレーム１２に回動可能に支持されている。解除レバー１３を反時計方向に回動して手前に引き寄せようとすると、解除レバー１３の下端に設けられた持上げ支点部２６が第１の固定ネジ１４の第１の軸受けに設けられたフランジ２２の外周に当接する。第１の固定ネジ１４はベースフレーム４０に固定されているので、さらに、解除レバー１３を回動させることにより、解除レバー１３の持上げ支点部２６が支点として解除レバー１３を持ち上げる方向の力が働く。解除レバー１３は第２の固定ネジ１５により回動フレーム１２に支持されているので、解除レバー１３が持ち上がると、第２の固定ネジ１５を介して回動フレーム１２も持上げられる。回動フレーム１２は長孔２０を介して第１の固定ネジ１４に支持されているので、回動フレーム１２は長孔２０の孔に沿って持ち上げられることになる。回動フレーム１２が長孔２０に沿って斜め上方に所定量以上持ち上げられ、図６に実線で示すように、ロック部１６の切込み溝１７が固定ピン１８の外に移動する。これにより、ロックが解除されて、回動フレーム１２が第１の固定ネジ１４の回りを回動することが可能になる。回動フレーム１２には解除レバー１３及び印刷機構部５０が取り付けられているので、回動フレーム１２を回動させることにより、前面開放部１１全体が外側に回動し、印刷ユニット１０の前部が開放される。
【００３６】
（ロック状態から前面を開放するまでの一連の動作）
図７〜図９はロック状態からロックを解除し、その後前面開放部１１を反時計方向に約９０度回動するまでの一連の動作を示す印刷ユニット１０の側面図である。図７はロック状態を示す左側面図であり、図８は解除レバー１３が所定位置まで回動されて、ロックが解除された状態を示す左側面図である。図９は、前面開放部１１が約９０度前面方向に回動された状態を示す左側面図である。
【００３７】
図７の状態は、印刷ユニット１０が情報処理端末装置７０に収納されて、印刷動作が実行される稼動可能な状態である。この状態においては、ロック部１６の切込み溝１７内に固定ピン１８が入り込んでおり、回動フレーム１２が回動することができないロック状態となっている。図７の状態から把持部２５が手前に引き寄せられることにより、図８の状態まで回動されると、持上げ支点部２６により解除レバー１３及び回動フレーム１２が斜め上方に持上げられる。これにより、図８に示すように、ロック部１６の切込み溝１７が固定ピン１８の外に移動して、回動フレーム１２が反時計回りに回動可能となる（ロックが解除される）。
【００３８】
解除レバー１３及び印刷機構５０は回動フレーム１２に支持されているので、回動フレーム１２の回動に伴い、回動フレーム１２とともに回動する。従って、回動フレームをそのまま約９０度回転させることにより、前面開放部１１全体が回動し、図９の状態となる。これにより、ロール紙６０の交換、印刷機構部５０の保守、修理、作業が可能となる。尚、図７乃至図９において、印刷機構部５０の裏面に突出しているカーブ状の部材は、紙送り緩衝案内板であり、弾性部材により、図７に示す位置に付勢されて、印刷用紙の経路に冗長性を持たせている。
【００３９】
図８及び図９の左側面図に対応する斜視図を、図１０及び図１１に示す。図１０は、解除レバー１３が所定角度回動されて、ロックが解除された状態を示す印刷ユニット１０の斜視図であり、図１１は、回動フレーム１２を約９０度回動した状態を示す印刷ユニット１０の斜視図である。解除レバー１３が図１に示す位置から回動されて図１０の位置まで移動すると、前述した通り、回動フレーム１２は斜め上方に持上げられている（回動フレーム１２に支持されている印刷機構部５０を含む前面開放部１１全体が上方に持上げられている）。そのため、切込み溝１７が固定ピン１８から外れ、ロックが解除される。ロックが解除されると回動フレーム１２が解除レバー１３及び印刷機構５０とともに回動可能となり、回動フレーム１２全体（前面開放部１１が）が前面の外側（操作面側）倒されて、図１１の状態となる。これにより、印刷ユニット１０の前からロール紙６０の交換及び装着が可能となる。
【００４０】
以上の説明からわかるように、本発明では、印刷ユニット１０の印刷機構５０を含む前面開放部１１を、第１の固定ネジ１４を中心にしてほぼ９０度回動させることにより、前面を開放するという簡単な構造により、情報処理端末装置７０の前からロール紙６０を交換することを可能にした。
【００４１】
また、前面の開放動作は、解除レバー１３を手前に引くことによりロックを解除し、そのまま回動フレーム１２を回動させて前面を開放させることができる。すなわち、解除レバー１３を引いてロックを解除し、そのまま解除レバー１３ごとに前面開放部１１を手前に回動させるという一連の動作により、前面開放部１１が倒され、前面が開放される。このようにロックの解除と開放動作を片手で連続する一連動作として行うことができるので、装着するロール紙６０を片手で持ちながら、前面開放部１を回動することができる。このようにロール紙６０の交換作業が極めて容易であるにもかかわらず、ロックを解除するには、適度の負荷がかかっている。すなわち、解除レバー１３を所定の角度以上回動させてロックを解除するには、前面開放部１１全体を所定量持上げる必要があること、及び持上げ支点部２６がフランジ２２の外周を摺動することによる摩擦力が存在すること、さらに回動フレーム１２を斜め上方に持上げる際に長孔２０と第１の固定ネジ１４との摺動による摩擦力が存在することから、所定の大きさの負荷がかかっており、この負荷は所定のパラメータを変化させることにより適切な値に調整することが可能である。さらに、印刷ユニット１０は弾性部材１９により、ロック側に付勢されており、適切な値に調整することが可能である。従って、この重量、摩擦力、及び付勢力を調整することにより、解除レバー１３が不用意な操作によりロックが解除されることを防止すること及び、適度の負荷をかけた状態での回動動作が可能となる。以上説明したように、本発明によると、簡単な構造により、安全で、かつ操作性に優れた開放機構を提供することができる。
【００４２】
尚、以上の説明においては、ロック機構として、切込み溝１７及び固定ピン１８を用いた例を用いて説明したが、解除レバー１３の回動動作によりベースフレーム４０に係合しているロック用のバーを移動させるように構成したロック機構とすることも可能である。
【図面の簡単な説明】
【００４３】
【図１】本発明の一実施形態にかかる情報処理端末装置用印刷ユニット斜視図である。
【図２】印刷ユニットが情報処理端末装置内に収納されている状態を示す模式図である。
【図３】情報処理端末装置内に収納された印刷ユニットの前面開放部１１を、約９０度回動させた状態を模式的に示す側面図である。
【図４】（ａ）は、回動フレーム１２及び解除レバー１３の取り付け部の部分分解斜視図であり、（ｂ）は、固定ネジ１４、１５及び軸受け２１、２５の側面図である。
【図５】回動フレーム１２及び解除レバー１３のロック状態（通常収納状態）を示す部分側面図である。
【図６】解除レバー13所定角度回動させてロックを解除した状態を示す部分側面図である。
【図７】ロック状態を示す側面図である。
【図８】解除レバー１３が所定位置まで回動されて、ロックが解除された状態を示す側面図である。
【図９】前面開放部１１が約９０度前面方向に回動された状態を示す側面図である。
【図１０】解除レバー１３が所定角度回動されて、ロックが解除された状態を示す印刷ユニットの斜視図である。
【図１１】回動フレーム１２を約９０度回動した状態を示す印刷ユニット１０の斜視図である。
【符号の説明】
【００４４】
１０  印刷ユニット                      １１  前面開放部
１２  回動フレーム                      １３  解除レバー
１４  第１の固定ネジ                    １５  第２の固定ネジ
１６  ロック部                          １７  切込み溝
１８  固定ピン                          １９  弾性部材
２０  長孔                              ２１  第１の軸受け
２２  フランジ                          ２５  第２の軸受け
２６  持上げ支点部                      ２７  把持部
４０  ベースフレーム                    ４１  ロール紙収納部
４２  固定穴                            ５０  印刷機構部
５１  記録紙排出部                      ５２  搬送緩衝部材
６０  ロール紙                          ７０  情報処理端末装置
７１  前部ドア                          ８１  背面壁
８２  床
【図１】
2006007467.tif 000003
【図２】
2006007467.tif 000004
【図３】
2006007467.tif 000005
【図４】
2006007467.tif 000006
【図５】
2006007467.tif 000007
【図６】
2006007467.tif 000008
【図７】
2006007467.tif 000009
【図８】
2006007467.tif 000010
【図９】
2006007467.tif 000011
【図１０】
2006007467.tif 000012
【図１１】
2006007467.tif 000013